(57)【要約】  【課題】  読取部と記録部とを備えた画像読取記録装置におけるデッドスペースを有効に利用することで装置の大型化を抑える。ユーザー操作性の向上や、電気接続線の省略によるノイズ軽減化やコストダウンを可能にする。  【解決手段】  原稿画像を読み取る読取部１と、記録媒体に画像を記録する記録部２と、読取部及び記録部を制御するための制御基板部４とを備える。読取部の下方に記録部を設ける。読取部の下方の装置前部であって、記録媒体搬送部分の左右両側の少なくとも一側に制御基板部を配置する。制御基板部に、カードスロット４２、コネクタ４３又は操作スイッチ４５などを設ける。【選択図】  図６
2007259234.tif 000002
【特許請求の範囲】
【請求項１】
原稿の画像を読み取るための読取部と、画像情報に基づいて記録媒体に画像を記録する記録部と、前記読取部及び前記記録部を制御するための制御基板部とを備えた画像読取記録装置において、
前記読取部の下方に前記記録部が設けられ、
前記読取部の下方の装置前部であって、記録媒体搬送部分の左右両側の少なくとも一側に、前記制御基板部を配置することを特徴とする画像読取記録装置。
【請求項２】
前記制御基板部に、カード型の電子部品を着脱自在に挿入するためのカードスロットが設けられていることを特徴とする請求項１に記載の画像読取記録装置。
【請求項３】
前記制御基板部に、外部の機器と接続するためのコネクタが設けられていることを特徴とする請求項１又は２に記載の画像読取記録装置。
【請求項４】
前記制御基板部に、操作スイッチが設けられていることを特徴とする請求項１乃至３のいずれか１項に記載の画像読取記録装置。
【請求項５】
前記制御基板部を複数の制御基板で構成し、各制御基板を互いに平行に配置することを特徴とする請求項１乃至４のいずれか１項に記載の画像読取記録装置。
【請求項６】
前記制御基板部を複数の制御基板で構成し、少なくとも１枚の制御基板を他の制御基板に対して交差させて配置することを特徴とする請求項１乃至４のいずれか１項に記載の画像読取記録装置。
【請求項７】
前記読取部の下方の装置前部であって、記録媒体搬送部分の左右両側の一側に前記制御基板部を配置し、他側に電源部を配置することを特徴とする請求項１乃至６のいずれか１項に記載の画像読取記録装置。
【発明の詳細な説明】
【技術分野】
【０００１】
本発明は、ファクシミリ、複写機あるいは複合機など、原稿を読み取る機能と記録媒体に画像を記録する機能を備えた画像読取記録装置に関する。
【背景技術】
【０００２】
ファクシミリ、複写機あるいは複合機などの画像読取記録装置が使用されている。画像読取記録装置は、原稿の画像（文字や記号等を含む）を読み取る機能を備えている。また、画像情報に基づいて記録紙やプラスチックシートなどの記録媒体に画像（文字や記号等を含む）を記録する機能（プリンタ機能など）も備えている。図１０は画像読取記録装置の従来例を示す斜視図である。図１０において、画像読取記録装置では、一般に、原稿の画像を読み取るための読取部１の下方に、画像情報に基づいて記録媒体に画像を記録する記録部２が配置する構成が採られている。また、装置の制御回路や画像処理回路等が設けられた制御基板４１を有する制御基板部４は、装置本体の左側に配置されている。また、装置の前面には操作スイッチ等が配設されたパネル部５が設けられている。
【０００３】
図１０に示すように、制御基板４１にカード型の電子部品を着脱自在に挿入するためのカードスロット４２を設けることにより、接続線などを省略してノイズ等の問題を軽減するとともに、コストダウンを図ることが可能である。また、上記と同じ機能を有する画像読取記録装置において、制御基板部を読取部と記録部との間に配置し、カードスロットとの接続線を短くする構成のものが例えば特許文献１に開示されている。
【特許文献１】特開２００４−１０１５９０号公報
【発明の開示】
【発明が解決しようとする課題】
【０００４】
しかしながら、これら従来の画像読取記録装置では、次のような課題があった。すなわち、上記の制御基板部４を装置本体の左側に配置する構成では、装置本体の幅が大きくなってしまい、小型軽量化が難しいという課題があった。一方、制御基板部を読取部と記録部との間に配置する構成では、装置本体の高さが大きくなってしまい、やはり小型軽量化が難しいという課題があった。
【０００５】
本発明はこのような技術的課題に鑑みてなされたものである。本発明の目的は、原稿を読み取るための読取部と、記録媒体に画像を記録する記録部とを備えた画像読取記録装置におけるデッドスペースを有効に利用することで装置の大型化を抑えることができる構成を提供することである。また、本発明の目的は、ユーザー操作性の向上や、接続線の省略によるノイズ軽減化を容易に実現できる画像読取記録装置を提供することである。
【課題を解決するための手段】
【０００６】
本発明は、原稿の画像を読み取るための読取部と、画像情報に基づいて記録媒体に画像を記録する記録部と、前記読取部及び前記記録部を制御するための制御基板部とを備えた画像読取記録装置に関する。本発明に係る画像記録装置では、前記読取部の下方に前記記録部が設けられる。そこで、本発明によれば、前記読取部の下方の装置前部であって、記録媒体搬送部分の左右両側の少なくとも一側に、前記制御基板部を配置するように構成される。
【発明の効果】
【０００７】
本発明によれば、読取部と記録部と備えた画像読取記録装置におけるデッドスペースを有効に利用することで装置の大型化を抑えることができる構成が提供される。また、制御基板部が装置前部に配置されることから、操作が必要なカードスロットや各種コネクタや操作スイッチなどを前面配置することが可能となり、ユーザー操作性を良好にするとともに、接続線の不要化によるノイズの低減を図ることが可能となる。
【発明を実施するための最良の形態】
【０００８】
以下、図面を参照して本発明の実施形態を具体的に説明する。なお、各図面を通して同一符号は同一又は対応部分を示すものである。図１は本発明の一実施形態に係る画像読取記録装置を示す斜視図である。図２は図１の画像読取記録装置で読取部の圧板を開けた状態を示す斜視図である。図３は図１の画像読取記録装置の縦断面図である。図４は図１の画像読取記録装置で読取部を開けて記録部のインクタンク等にアクセス可能にした状態を示す斜視図である。図５は図１の画像読取記録装置における記録部のキャリッジに搭載されたインクタンクを上方から見た斜視図である。図６は本発明による画像読取記録装置の第１の実施形態における制御基板部が配置された部分を示す図であり、（ａ）は正面断面図、（ｂ）は側面断面図である。
【０００９】
図１〜図６において、画像読取記録装置は、原稿の画像を読み取るための読取部１と画像情報に基づいて画像を記録する記録部２を備えている。また、画像読取記録装置（以下では、単に装置とも称する）の背部には、記録紙やプラスチックシート等の記録媒体（以下では、記録シートとも呼ぶ）Ｐを記録部２へ１枚ずつ分離して給送するための給紙部３が設けられている。この画像読取記録装置は、さらに、本体制御回路や画像処理回路等が設けられた制御基板部４と各種操作キーや各種表示器などが設けられたパネル部５を備えている。装置の上部に読取部１が設けられ、装置の下半部に記録部２が設けられ、記録部２の後部に給紙部３が設けられ、装置の前面にパネル部５が設けられている。
【００１０】
まず、読取部１について説明する。図２は圧板１３を開いて原稿を読取部１にセット可能にした状態を示す。読取部は、ガラス１１の上面に原稿を裏向きにセットし、ガラス１１の下側から原稿の画像を読み取るように構成されている。また、ガラス１１の縁部には、上面から突き当て基準白１２が貼り付けてある。この突き当て基準白は、原稿の端部を突き当てる基準部になると同時に、ガラス１１の下側から見た読取りの際の絶対白基準となる。ガラス１１の上面には、圧板１３の下面に接合された圧板白シート１３１が（読み取り時には原稿を介して）押圧されている。圧板１３は読み取り時の原稿の浮きを押さえるための板部材であり、前記圧板白シート１３１はスポンジと白色シートで構成されている。なお、圧板１３はヒンジ１３２（図２）を介して読取部１に取り付けられている。
【００１１】
原稿の画像を読み取るコンタクトセンサ（以下では「ＣＩＳ」とも呼ぶ）１４を保持しているＣＩＳホルダ１５は、左右方向に設置されたガイド軸１６に沿って移動するように案内支持されている。ＣＩＳホルダ１５は、不図示のモータ等の駆動源により、不図示の駆動プーリとアイドルプーリ１８との間に張架されたタイミングベルト１７を介して駆動される。原稿をコピーするときや、ＰＣからのスキャン動作のときには、コンタクトセンサ１４を図２中の矢印Ａ方向に駆動することにより、ガラス１１を通して原稿を読み取る。
【００１２】
次に、記録部２及び給紙部３について説明する。図３において、給紙部のベース３０に揺動可能に取り付けられた中板３２の上に記録シートＰが積載されており、積載された記録シートの後半部は給紙トレイ３１により保持されている。積載された記録シートは、給紙部から矢印Ｂ方向に送り出される。中板３２に積載された記録シートＰの側端部は、左右方向にスライド可能なサイドガイド３３により規制されており、給送するときの記録シートの斜行などの給送不良を防止している。中板３６に積載された記録シートＰは、不図示のカムにより中板３６を押し上げることにより、給紙ローラ３４に当接される。そこで、給送ローラが回転すると、従動回転可能な分離ローラ３５の摩擦抵抗により１枚ずつ分離され、記録部２へ向けて給送される。
【００１３】
なお、分離ローラ３５は回転方向に一定以上のトルクが作用しないと回転しないように、トルクリミッタ機構を介して軸支されている。給紙ローラ３４が回転することで複数枚の記録シートがローラ間に進入すると、記録シート間の摩擦係数より大きい摩擦係数を有する分離ローラの摩擦抵抗によって最上位の一枚が分離される。これによって、給紙ローラの搬送力により記録シートが１枚ずつ給送される。分離、給送された記録シートＰは、記録部２へ搬送される。記録部へ搬送された記録シートを搬送ローラ２１ａ及びピンチローラ２１ｂで紙送りする間に、記録ヘッド２５による記録が行われる。
【００１４】
さらに具体的に説明する。読取部１は、装置の後部に設けられた軸心を中心に回動可能に取り付けられている。読取部１を図４に示すように開けることにより、記録部２に着脱自在に装着されたインクタンク２６を交換することができる。本実施形態では、図５に示すように、カラー記録などのために異なるインクを供給する４個のインクタンク２６ａ、２６ｂ、２６ｃ、２６ｄが使用されている。読取部１の開閉は制御部によって検知可能であり、開かれたことを検知すると、記録ヘッド２５を搭載したキャリッジ２２が交換ポジションへ移動してくる。図４のＣ部、及び図５は、このときの状態を示す。
【００１５】
キャリッジ２２は、装置内を左右方向に延びるように設けられたガイドシャフト２３及びガイドレール２８ａによって往復移動可能に案内支持されている。なお、ガイドレール２８ａはシャーシ２８の一部に形成されている。キャリッジ２２に搭載された記録ヘッド２５には、黒のインクタンク２６ａ及びカラーインクタンク２６ｂ、２６ｃ、２６ｄが装着されている。そして、これらの記録ヘッド２５及びインクタンク２６は、ヘッドセットレバー２４により、キャリッジ２２に位置決め装着されている。キャリッジ２２を移動させて記録ヘッド２５により記録シートＰを走査しながら、記録シート上に１ライン分の記録を行う。１ライン分の記録を終了すると、記録シートを所定ピッチだけ紙送りする。この１ライン分の記録と所定ピッチの紙送りを交互に繰り返すことにより、記録シートＰ全体の記録が行われる。記録された記録シートは、排紙ローラ２７ａ、２７ｂ及び各排紙ローラに付勢された拍車（不図示）を通して、排紙トレイ２９上に排出される。
【００１６】
なお、本実施形態では、記録部２は、インクジェット記録ヘッドを用いて記録するように構成されている。このインクジェット記録ヘッドは、画像情報に基づいて、吐出口から記録媒体へインクを吐出して画像を記録するものである。このインクジェット記録方式では、記録ヘッドの吐出口の目詰まりを防止することでインク吐出性能を維持回復するための回復ユニットや予備吐出手段が設けられる。回復ユニットは、記録ヘッドの吐出口を覆うキャッピング手段や記録ヘッドの吐出面をクリーニングするワイピング手段を備えている。さらに、上記キャップで吐出口を密閉した状態で吐出口に負圧を作用させてインクを吸引する吸引手段、あるいは記録ヘッド内のインクを加圧して吐出口から吐出させる加圧回復手段なども備えている。記録部２は、インクジェット記録方式以外の記録方式で構成しても良い。例えば、熱転写方式、感熱方式、ワイヤドット方式、レーザービーム方式など、種々の記録方式を採用することができる。
【００１７】
次に、パネル部５について説明する。図１〜図４において、パネル部５は装置本体の前面に突出する形態で設けられている。パネル部のパネルカバー５１には各種の操作キー５２が取り付けられている。また、図３に示すように、パネルの内部に配置されたパネル基板５３にはタクトスイッチ５３が取り付けられている。操作キー５２を押すことにより、タクトスイッチ５４が押され、スイッチが入る構成になっている。さらに、パネル部５には、装置の動作状態を表示するための発光ダイオード等からなる各種表示手段が設けられている。
【００１８】
次に制御基板部４について説明する。図６には、第１の実施形態に係る画像読取記録装置における読取部１、記録部２、給紙部３、制御基板部４及びパネル部５の配置関係が示されている。図６において、読取部１の下方（下側）に記録部２が配置されており、記録部２の全幅は読取部１の全幅より小さい寸法になっている。そして、装置の幅方向には、読取部１と記録部２は、中心を略一致させて位置関係に配置されている。制御基板部４は、読取部１及び記録部２の動作を制御するための本体制御回路や画像処理回路等を備えている。この制御基板部４は、図６に示すように、読取部１の下方の装置前部であって、記録部２の記録媒体搬送部分の左右両側の一側（図示の例では左側）に配置されている。この記録媒体搬送部分は、記録シートＰの搬送領域を構成するものである。
【００１９】
図６及び図１において、制御基板部４は、制御基板４１をベースプレート４４に取り付けて構成されている。また、制御基板部４は、全体として四角形の角盤状をしており、前後方向に略垂直に立てた姿勢で配置されている。制御基板４１上には、カードスロット４２、ピクトブリッジコネクタ４３及びメインスイッチ４５など、外部の機器と接続するためのコネクタや、操作スイッチなどが設けられている。このような構成にすることにより、読取部１と記録部２とを組み合わせた場合に記録部の両側に形成されるデッドスペースを有効に使うことができる。つまり、記録部２の両側のデッドスペースを利用して制御基板部４を配置することにより、装置サイズの大型化を抑えることができる。
【００２０】
カードスロット４２は、装置の左側前方に、カードを垂直に立てた状態で挿入できるように配置されている。このため、ユーザーは、メモリーカード等をカードスロット４２に容易に抜き差しすることができ、この点での装置の操作性を向上させることができる。カードスロット４２に着脱自在に挿入して使用可能なカード型の電子部品には種々のメモリーカードがある。例えば、コンパクトフラッシュ（登録商標）、スマートメディア（登録商標）、メモリースティック（登録商標）、ＳＤ（Ｓｅｃｕｒｅ  Ｄｉｇｉｔａｌ）カード等の各種メモリーカードを挙げることができる。そして、カードスロット４２にて、挿入されたメモリーカードから、デジタルカメラの画像情報等を読み込んで装置本体に取り入れる。読み込んだ画像情報は記録部２で直接的に記録することもできる。また、ＰＣと直接接続することにより、メモリーカードをＰＣによって読み取り、ＰＣにより画像読取記録装置を駆動して記録することもできる。なお、カードスロット４２には、ＰＣカードと実質的に同一の構造であれば、他のカード型の電子部品も挿入することができる。
【００２１】
ピクトブリッジコネクタ４３は、ＵＳＢコネクタでデジカメなどの入力機器に接続することができる。接続したダイレクトプリントデータ等の画像情報を入力することで、ＰＣを介さずに直接記録部２により記録することができる。以上のように、装置前部に制御基板４１を配置できるので、操作が必要なカードスロット４２、並びに外部の機器と接続するための各種のコネクタや操作スイッチや操作キーなどを制御基板に直付けすることにより、これらも前面配置することが可能になる。このため、ユーザーの操作性を向上させることができ、接続線の短縮化及び不要化が可能となることから、ノイズ対応が容易となり、さらにはコストダウンを図ることもできる。
【００２２】
次に、本実施形態に係る画像読取記録装置のオペレーションについて説明する。図１及び図６において、メインスイッチ４５を押すことで電源が投入される。次いで、パネル部５の操作キー５２を操作することにより、各種の動作を実行させる。例えば、コピーを行う場合は、機能キーでコピーキーを選択し、メニューキーを操作して画質の調整、メディアの選択及びコピー枚数の設定などを行う。また、カラー選択キーにより、カラーコピーか白黒コピーかを選択する。その後、読取部１の圧板１３を開けて、コピーしたい原稿をガラス１１上にセットする。次いで、記録シートＰを給紙トレイ３１にセットし、パネル部５のスタートキーを押す。これによってコピーが行われる。
【００２３】
メモリーカードからの画像記録を行う場合は、メモリーカードをカードスロット４２に挿入する。ここで、記録シートＰを給紙トレイ３１にセットする。そして、パネル部５のメニューキーによってインデックスプリントを選択すると、メモリーカード内の画像をインデックスで記録シートに記録することができる。この際、メモリーカード内の画像を選択し、プリントボタンを押すことにより、メモリーカード内のデータから記録シートにダイレクトに画像を記録することができる。他にも、ＰＣからのデータにより記録部２で画像記録する機能があり、また、読取部１により原稿画像を読み取って、そのデータをＰＣに転送する機能などもある。
【００２４】
なお、本実施形態では、図６に示すように、制御基板部４を装置前部の左側のデッドスペースを利用して配置したが、これは、装置前部の右側のデッドスペースを利用して配置しても良い。また、制御基板部４を複数箇所に配置する場合は、装置前部の両側のデッドスペースを利用して配置しても良い。
【００２５】
図７は、本発明による画像読取記録装置の第２の実施形態における制御基板部が配置された部分を示す図であり、（ａ）は正面断面図、（ｂ）は側面断面図である。前述の第１の実施形態では、制御基板部４に１枚の制御基板４１を設けたが、これは、複数枚の制御基板を設ける構成にしても良い。図７において、読取部１の下方の装置前部であって、記録部２の記録媒体搬送部分の左側に、制御基板部４が配置されている。この制御基板部は、複数枚（本実施形態では２枚）の制御基板４１ａ、４１ｂを備えている。制御基板４１ａ、４１ｂとしては、ほぼ同程度の大きさの制御基板が使用されている。各制御基板４１は、それぞれのベースプレート４４に取り付けられている。また、これらの制御基板は、前後方向に略垂直に立てた姿勢で配置されている。制御基板４１ａ、４１ｂのそれぞれには、お互いを接続するためのコネクタ４６が設けられている。そして、フラットケーブル４７の両端を両コネクタ４６に挿入することにより、制御基板４１ａ、４１ｂは電気的に接続されている。
【００２６】
図７の第２の実施形態は、以上説明した構成以外の点では、図１〜図６で説明した第１の実施形態と実質的に同じ構成を有しており、それぞれ対応する部分を同一符号を示し、それらの詳細説明は省略する。この第２の実施形態によれば、前述の第１の実施形態と同様の効果に加えて、次のような効果が得られる。すなわち、図７の構成によれば、第１の実施形態よりも、制御基板４１のトータルのサイズを大きく取ることができ、そのため、より高機能の制御回路を搭載することができる。また、同程度の制御回路であれば、多層基板実装を止めることも可能であり、コストダウンを図ることができる。さらに、制御基板を複数枚にしても、それらの間の距離を小さくすることができる。このため、複数の制御基板を別々に配置する場合に比べ、接続用のフラットケーブル４７を短くすることができ、コストやノイズに対しても有利な制御基板部を構成することができる。
【００２７】
なお、本実施形態でも、図７に示すように、制御基板部４を装置前部の記録媒体搬送部の左側のデッドスペースを利用して配置したが、これは、装置前部の右側のデッドスペースを利用して配置しても良い。また、制御基板部４を複数箇所に配置する場合は、装置前部の両側のデッドスペースを利用して配置しても良い。また、制御基板部４を構成する複数枚の制御基板のサイズや形状は、それぞれがほぼ同じであっても、それぞれが異なるものであっても良く、必要に応じて適宜選択できるものである。
【００２８】
図８は、本発明による画像読取記録装置の第３の実施形態における制御基板部が配置された部分を示す図であり、（ａ）は正面断面図、（ｂ）は側面断面図である。本実施形態でも、読取部１の下方の装置前部であって、記録部２の記録媒体搬送部分を避けた装置左側に制御基板部４が配置されている。前述の第１及び第２の実施形態では、制御基板部４は前後方向に略垂直に立てて取り付けた１枚又は複数枚の制御基板で構成した。これに対し、第３の実施形態の制御基板部４では、複数枚の制御基板が互いに垂直又は斜めに交差させて接続されている。図示の構成では、ほぼ同程度の大きさの２枚の制御基板４１ａ、４１ｃが互いにほぼ垂直に取り付けられている。本実施形態でも、制御基板４１はベースプレート４４に取り付けられている。そして、各制御基板４１ａ、４１ｃは、互いに垂直又は斜めに接触している部分で、電気的に直接接続されている。具体的には、各制御基板４１ａ、４１ｃに接続用のランドが設けられ、これを半田付けされている。なお、図示の構成では、１枚の制御基板４１ｃを交差させて接続したが、これは、２枚以上の制御基板を交差させて接続するように構成しても良い。
【００２９】
図８の第３の実施形態は、以上説明した構成以外の点では、図１〜図７で説明した第１の実施形態と実質的に同じ構成を有しており、それぞれ対応する部分を同一符号を示し、それらの詳細説明は省略する。この第３の実施形態によれば、前述の第１の実施形態と同様の効果に加えて、次のような効果が得られる。すなわち、図８の構成によれば、第１の実施形態よりも、制御基板４１のトータルのサイズを大きく取ることができ、そのため、より高機能の制御回路を搭載することができる。また、同程度の制御回路であれば、多層基板実装を止めることも可能であり、コストダウンを図ることができる。また、第２の実施形態と比べると、制御基板同士を直接接続するので、前記コネクタ４６や前記フラットケーブル４７が不要になり、コストやノイズに対しても有利な制御基板部を構成することができる。
【００３０】
なお、図８に示す構成でも、制御基板部４は、装置前部の記録媒体搬送部分の左側のデッドスペースを利用して配置されているが、これは、装置前部の右側のデッドスペースを利用して配置しても良い。さらに、制御基板部４を複数箇所に配置する場合は、装置前部の両側のデッドスペースを利用して配置しても良い。また、制御基板部４を構成する各制御基板のサイズや形状は、それぞれがほぼ同じであっても、それぞれが異なるものであっても良く、必要に応じて適宜選択できるものである。
【００３１】
図９は、本発明による画像読取記録装置の第４の実施形態における制御基板部が配置された部分を示す図であり、（ａ）は正面断面図、（ｂ）は側面断面図である。前述の第１の実施形態では、読取部１の下方の装置前部であって、記録部２の記録媒体搬送部分を避けた装置左側に制御基板部４を設けた。図９の第４の実施形態では、このような第１の実施形態において、制御基板部４の配設位置の反対側、すなわち記録媒体搬送部分を避けた装置右側のデッドスペースを利用して、電源部６が配置されている。電源６は、その電極板をモールドのケースで覆ったパック電源であり、外装ケースに対して下部より取り付けられる構成になっている。
【００３２】
図９の第４の実施形態は、以上説明した構成以外の点では、図１〜図７で説明した第１の実施形態と実質的に同じ構成を有しており、それぞれ対応する部分を同一符号を示し、それらの詳細説明は省略する。この第４の実施形態によれば、前述の第１の実施形態と同様の効果に加えて、次のような効果が得られる。すなわち、図９の構成によれば、読取部１の下方の装置前部であって、記録部２の記録シート搬送領域を避けた装置両側のデッドスペースの両方を有効に活用することができる。従って、画像読取記録装置のスペース効率をさらに向上させることができ、さらなる装置サイズの小型化を図ることができる。また、電源部６と制御基板部４との距離も比較的短くすることができ、それらを接続するケーブル類の長さを短くすることもできる。なお、図９に示す構成では、装置の左側に制御基板部４を配置し、右側に電源部６を配置したが、当然のことながら、これらは左右を入れ替えて配置することができる。
【００３３】
以上説明した実施形態によれば、読取部と記録部とを備えた画像読取記録装置の内部のデッドスペースを有効に利用することができ、装置サイズの大型化を抑えることができる。また、装置前部に制御基板を配置できるので、操作が必要なカードスロット、各種コネクタ、操作スイッチ類などを、制御基板に直付けすることにより装置前面に配置することが可能になる。これによって、ユーザー操作性を良好にすることができる。また、電気的接続線を短くしたり、無くしたりすることも可能となり、このため、ノイズ対応が容易になり、コストダウンを図ることもできる。
【００３４】
なお、前述の実施形態では、記録部がキャリッジに搭載した記録ヘッドで記録するシリアルタイプである場合を例に挙げて説明した。ただし、本発明は、フルラインヘッド等からなるラインタイプの記録手段を用いる画像読取記録装置など、他の記録形態の画像読取記録装置に対しても同様に適用できるものであり、同様の作用効果を奏するものである。また、前述の実施形態では、記録部がインクジェット記録式である場合を例に挙げて説明した。本発明は、熱転写式、感熱式、レーザービーム照射式、ワイヤドット式など、記録方式の如何に関わらず適用可能なものである。また、本発明は、画像読取記録装置単体のみならず、複写機、ファクシミリ、撮像画像形成装置などの他の情報処理装置を組み合わせた複合装置における画像読取記録装置など、情報の読取や記録を行う装置に対して広く適用可能なものである。
【図面の簡単な説明】
【００３５】
【図１】本発明の一実施形態に係る画像読取記録装置を示す斜視図である。
【図２】図１の画像読取記録装置で読取部の圧板を開けた状態を示す斜視図である。
【図３】図１の画像読取記録装置の縦断面図である。
【図４】図１の画像読取記録装置で読取部を開けて記録部のインクタンク等にアクセス可能にした状態を示す斜視図である。
【図５】図１の画像読取記録装置における記録部のキャリッジに搭載されたインクタンクを上方から見た斜視図である。
【図６】本発明による画像読取記録装置の第１の実施形態における制御基板部が配置された部分を示す図であり、（ａ）は正面断面図、（ｂ）は側面断面図である。
【図７】本発明による画像読取記録装置の第２の実施形態における制御基板部が配置された部分を示す図であり、（ａ）は正面断面図、（ｂ）は側面断面図である。
【図８】本発明による画像読取記録装置の第３の実施形態における制御基板部が配置された部分を示す図であり、（ａ）は正面断面図、（ｂ）は側面断面図である。
【図９】本発明による画像読取記録装置の第４の実施形態における制御基板部が配置された部分を示す図であり、（ａ）は正面断面図、（ｂ）は側面断面図である。
【図１０】画像読取記録装置の従来例を示す斜視図である。
【符号の説明】
【００３６】
１        読取部
２        記録部
３        給紙部
４        制御基板部
５        パネル部
６        電源部
１１      ガラス
１２      突き当て基準白
１３      圧板
１４      コンタクトセンサ（ＣＩＳ）
１５      ＣＩＳホルダ
１６      ガイド軸
１７      タイミングベルト
１８      プーリ
２１ａ    搬送ローラ
２１ｂ    ピンチローラ
２２      キャリッジ
２３      ガイドシャフト
２５      記録ヘッド
２６      インクタンク
２７      排紙ローラ
２８      シャーシ
３０      給紙部のベース
３２      中板
３３      サイドガイド
３４      給紙ローラ
４１      制御基板
４２      カードスロット
４３      コネクタ（ピクトブリッジコネクタ）
４４      ベースプレート
４５      操作スイッチ（メインスイッチ）
４６      コネクタ
４７      フラットケーブル
５１      パネルカバー
５２      操作キー
５３      パネル基板
５４      タクトスイッチ
１３１    圧板白シート
【図１】
2007259234.tif 000003
【図２】
2007259234.tif 000004
【図３】
2007259234.tif 000005
【図４】
2007259234.tif 000006
【図５】
2007259234.tif 000007
【図６】
2007259234.tif 000008
【図７】
2007259234.tif 000009
【図８】
2007259234.tif 000010
【図９】
2007259234.tif 000011
【図１０】
2007259234.tif 000012